(57)【要約】  【課題】カラオケ用リモートコマンダにおいて、別部材を設けることなく、ノイズ成分の影響を低減させる。  【解決手段】カラオケ装置は、リモコン端末からの情報信号の周期を監視し、この周期成分で示される情報を特定するが、この場合、情報信号がノイズ成分により本来変化すべき時期より前に信号レベルが変化すると、周期を短く判定し、周期成分で示される情報の特定を誤る虞がある。ところが、周期の監視は、情報信号の信号レベルが本来変化すべき時期より前に変化していると判定される場合（ｓ２１４：ＮＯ）、その監視をソフトウェア的な処理で継続させるため（ｓ２１６→ｓ２０６）、ノイズ信号が重畳して本来変化すべき時期より前に信号レベルが変化した場合でも、別部材を設けることなく、そのようなノイズ信号の影響を低減して適切に情報を特定できる。【選択図】図４
2006276751.tif 000002
【特許請求の範囲】
【請求項１】
第１信号レベルの期間と第２信号レベルの期間とを連結した成分が繰り返されてなる信号であり、該成分の周期を該成分で示す情報に応じて異ならせた情報信号を、無線通信により送信可能なリモコン端末から受信し、該情報信号で示される前記リモコン端末からの通知情報を取得するカラオケ用リモートコマンダであって、
前記リモコン端末からの情報信号を受信する信号受信手段と、
該信号受信手段により情報信号の受信が開始された以降、該情報信号の信号レベルが第１信号レベルから第２信号レベルに変化するまでの期間を監視する第１期間監視手段と、
該第１期間監視手段により監視される期間が、前記情報信号における第１信号レベルの期間として想定される期間に到達している否かをチェックする第１チェック手段と、
該第１チェック手段により到達していないと判定された場合に、前記第１期間監視手段による監視を継続させる第１監視継続手段と、
前記第１チェック手段により到達していると判定された場合に、該到達していると判定された以降、前記情報信号の信号レベルが第２信号レベルから第１信号レベルに変化するまでの期間を監視する第２期間監視手段と、
該第２期間監視手段により監視される期間が、前記情報信号における第２信号レベルの期間として想定される期間に到達しているか否かをチェックする第２チェック手段と、
該第２チェック手段により到達していないと判定された場合に、前記第２期間監視手段による監視を継続させる第２監視継続手段と、
前記第２チェック手段により到達していると判定された場合に、前記第１チェック手段により到達していると判定されるまでに前記第１期間監視手段により監視された期間，および，前記第２チェック手段により到達していると判定されるまでに前記第２期間監視手段により監視された期間からなる周期成分に基づいて、該周期成分で示される情報を特定する情報特定手段と、を備え、
前記第２チェック手段により到達していると判定された以降、前記信号受信手段による情報信号の受信が終了されるまで、前記第１期間監視手段による監視から前記情報特定手段による情報の特定までを繰り返すことにより、該情報特定手段により特定された情報それぞれからなる情報列で示される前記通知情報を取得する、ように構成されている
ことを特徴とするカラオケ用リモートコマンダ。
【請求項２】
前記リモコンにより送信される情報信号が、前記通知情報を示す情報列の各情報を特定するための周期成分の前に、該周期成分よりも長い周期のヘッダ成分を有する信号である場合において、
前記第１チェック手段は、前記信号受信手段により情報信号の受信が開始された以降、最初に前記第１期間監視手段により監視される期間のみ、前記ヘッダ成分における第１信号レベルの期間として想定される期間に到達しているか否かをチェックして、
前記第２チェック手段は、前記信号受信手段により情報信号の受信が開始された以降、最初に前記第２期間監視手段により監視される期間のみ、前記ヘッダ成分における第２信号レベルの期間として想定される期間に到達しているか否かをチェックする
ことを特徴とする請求項１に記載のカラオケ用リモートコマンダ。
【請求項３】
前記第１チェック手段は、前記第１期間監視手段により監視される期間が、前記情報信号における第１信号レベルの期間を含む領域であって、該期間がノイズとして想定されるノイズ成分の影響を受けて変動した場合の変動領域内に収まっていれば、前記情報信号における第１信号レベルの期間として想定される期間に到達していると判定する
ことを特徴とする請求項１または２に記載のカラオケ用リモートコマンダ。
【請求項４】
前記第２チェック手段は、前記第２期間監視手段により監視される期間が、前記情報信号における第２信号レベルの期間を含む領域であって、該期間がノイズとして想定されるノイズ成分の影響を受けて変動した場合の変動領域内に収まっていれば、前記情報信号における第２信号レベルの期間として想定される期間に到達していると判定する
ことを特徴とする請求項１から３のいずれかに記載のカラオケ用リモートコマンダ。
【請求項５】
請求項１から４のいずれかに記載のカラオケ用リモートコマンダの備える全ての手段として機能させるための各種処理手順を、コンピュータシステムに実行させるためのプログラム。
【請求項６】
請求項１から４のいずれかに記載のリモコンおよびカラオケ用リモートコマンダからなるカラオケシステム。
【発明の詳細な説明】
【技術分野】
【０００１】
本発明は、無線通信により送信可能なリモコンから情報信号を受信し、この情報信号で示されるリモコンからの通知情報を取得するカラオケ用リモートコマンダに関する。
【背景技術】
【０００２】
従来から、第１信号レベルの期間と第２信号レベルの期間とを連結した成分が繰り返されてなる情報信号を、無線通信にてリモコン（リモートコントローラ）からリモートコマンダに送信する構成においては、リモートコマンダ側で、情報信号における信号レベルの変化に基づいて周期成分毎の情報（「０」または「１」）を特定し、これら情報列で示されるリモコンからの通知情報を取得することが一般的である。
【０００３】
ただ、この構成におけるリモートコマンダにおいては、情報信号を受信する受信部でノイズ成分となる信号が受信されてしまうと、このノイズ成分が情報信号に重畳して周期的な信号レベルの変化が乱されてしまい、これにより、情報信号における周期成分毎の情報が正しく特定できなくなって正常な通知情報が取得できなくなるという問題がある。
【０００４】
このような問題は、近年、リモコンとカラオケ用リモートコマンダとの間の無線通信が赤外線を通信媒体として実現される構成において、特に顕著となってきている。
具体的にいうと、近年、カラオケルームなどでは、カラオケ用の映像を表示するためにＰＤＰ（Plasma Display Panel）からなる表示装置が用いられることが多くなってきているが、ＰＤＰは赤外線の成分を含むノイズ成分（光）を発しているため、このＰＤＰからのノイズ成分がカラオケ用リモートコマンダの受信部に入射してしまうと、上述したように正常な通知情報が取得できなくなってしまう虞がある。
【０００５】
この場合、カラオケ用リモートコマンダを表示装置からのノイズ成分が受信部に入射しにくくなるように配置できれば問題ないが、スペースの制約上、そのような配置が実現できないことが多い。
【０００６】
また、リモコンとカラオケ用リモートコマンダとの距離を近くした状態で使用すれば、カラオケ用リモートコマンダの受信部に入射する情報信号の信号レベルも充分に大きいままとなるため、この信号レベルが表示装置の発するノイズ成分に相当する信号レベルよりも充分に大きくなり、このノイズ成分による影響を相対的に小さくできるといえる。しかし、カラオケルームなどにおいては、複数のユーザそれぞれが異なる場所でリモコンを操作することとなるため、必ずしもリモコンとカラオケ用リモートコマンダとの距離を近くした状態で使用することができるとは言えず、また、このような使用状態をユーザに強いるのはリモコンの使い勝手を低下させるため望ましくない。
【０００７】
上述したような問題を回避するためには、例えば、表示装置表面にノイズ成分となる信号（近赤外線）を吸収または反射するためのフィルタを設ける技術を流用し（特許文献１，特許文献２参照）、このようなフィルタとなる部材を受信部に設けることで、ノイズ成分の影響を低減させることが考えられる。
【特許文献１】特開平１０−３８６１号公報
【特許文献２】特開２０００−１５６１８２号公報
【発明の開示】
【発明が解決しようとする課題】
【０００８】
しかし、上述したフィルタとなる別部材を設けるといった物理的な対策では、別部材を設けることでカラオケ用リモートコマンダとしての構成が大型化してしまったり、製造コストが増加してしまうため、望ましいことではない。
【０００９】
本発明は、上記課題を解決するためになされたものであり、その目的は、別部材を設けることなく、ノイズ成分の影響を低減させるための技術を提供することである。
【課題を解決するための手段】
【００１０】
上記課題を解決するため請求項１に記載の発明は、第１信号レベルの期間と第２信号レベルの期間とを連結した成分が繰り返されてなる信号であり、該成分の周期を該成分で示す情報に応じて異ならせた情報信号を、無線通信により送信可能なリモコン端末から受信し、該情報信号で示される前記リモコン端末からの通知情報を取得するカラオケ用リモートコマンダであって、信号受信手段にてリモコン端末から情報信号を受信し、この情報信号の周期成分で示される情報を情報特定手段により繰り返し特定することで、こうして特定された情報それぞれからなる情報列で示される通知情報を取得するように構成されている。
【００１１】
具体的には、まず、該信号受信手段により情報信号の受信が開始された以降、該情報信号の信号レベルが第１信号レベルから第２信号レベルに変化するまでの期間を第１期間監視手段により監視し、該監視される期間が、前記情報信号における第１信号レベルの期間として想定される期間に到達している否かを第１チェック手段によりチェックする。
【００１２】
ここで、第１チェック手段により到達していないと判定された場合、前記第１期間監視手段による監視を第１監視継続手段が継続させる。
また、第１チェック手段により到達していると判定された場合、該到達していると判定された以降、前記情報信号の信号レベルが第２信号レベルから第１信号レベルに変化するまでの期間を第２期間監視手段により監視し、該監視される期間が、前記情報信号における第２信号レベルの期間として想定される期間に到達しているか否かを第２チェック手段によりチェックする。
【００１３】
ここで、第２チェック手段により到達していないと判定された場合、前記第２期間監視手段による監視を第２監視継続手段が継続させる。
また、前記第２チェック手段により到達していると判定された場合、情報特定手段が、前記第１チェック手段により到達していると判定されるまでに前記第１期間監視手段により監視された期間，および，前記第２チェック手段により到達していると判定されるまでに前記第２期間監視手段により監視された期間からなる周期成分に基づいて、該周期成分で示される情報を特定する。
【００１４】
そして、前記第２チェック手段により到達していると判定された以降、前記信号受信手段による情報信号の受信が終了されるまで、前記第１期間監視手段による監視から前記情報特定手段による情報の特定までを繰り返すことにより、該情報特定手段により特定された情報それぞれからなる情報列で示される前記通知情報を取得する。
【００１５】
このように構成されたカラオケ用リモートコマンダによれば、第１期間監視手段による監視期間および第２期間監視手段による監視期間で示される周期成分に基づき、この周期成分で示される情報を特定する構成となっている。この構成では、リモコン端末から送信された情報信号が、ノイズ成分からなるノイズ信号の重畳により本来変化すべき時期より前に信号レベルの変化する期間を有してしまうと、上述した監視期間を短く判定してしまい、情報信号の周期成分で示される情報を誤った情報として特定してしまう虞がある。
【００１６】
ところが、第１，第２期間監視手段による監視は、情報信号の信号レベルが本来変化すべき時期より前に変化した場合、その監視期間が、第１，第２チェック手段により本来の信号レベルの期間として想定される期間に到達してないと判定されることで、これを受けた第１，第２監視継続手段により継続されることになる。
【００１７】
そのため、ノイズ信号が重畳し、本来変化すべき時期より前に信号レベルの変化する期間を有するものとなった情報信号を受信した場合であっても、そのようなノイズ信号の影響を低減して適切に情報信号の周期成分で示される情報を特定することができる。
【００１８】
そして、このようなノイズ信号の影響を低減させることは、第１，第２期間監視手段による監視をその監視期間が適切な期間に到達していない場合に継続させる、といったソフトウェア的な処理により実現できるため、同様のことをフィルタなどの別部材を設けて実現する場合と異なり、その別部材によりカラオケ用リモートコマンダとしての構成が大型化してしまったり、製造コストが増加してしまうといったこともない。
【００１９】
ところで、カラオケ用リモートコマンダにおいては、外部からの信号の受信状況を常時モニタしておき、外部から信号を受信した際に、その信号による情報の特定を適切ならしめるために、その受信した信号レベルに応じて、信号レベルが第１信号レベルとなったか第２信号レベルとなったかを判定する際の基準となる信号レベルを変化させる、といったいわゆるＡＧＣ（Automatic Gain Control）機能を有していることが一般的である。
【００２０】
ただ、通知情報を構成する各情報を示す周期成分については、通知情報として通知することのできる情報量を確保する目的で、カラオケ用リモートコマンダがその情報を特定できる程度まで、その周期を短くすることが多いが、そのような短い周期では、上述したＡＧＣ機能による基準となる信号レベルを安定させるために不充分といえる。
【００２１】
そのため、例えば、ノイズ信号の信号レベルが、リモコン端末により送信された情報信号の信号レベルに比べて大きくなると、上述した基準となる信号レベルが不必要に大きくなってしまうことがあり、これにより、情報信号による第１，第２信号レベルの判定も適切に行えなくなり、結果、情報信号の周期成分で示される情報を誤って特定してしまう虞がある。このような問題は、ノイズ信号の発生源からカラオケ用リモートコマンダまでの距離が、リモコン端末からカラオケ用リモートコマンダまでの距離よりも近い場合や、リモコン端末の電池が消耗して内部的な電圧低下が発生した場合などに特に顕著となる。
【００２２】
そこで、この対策としては、前記リモコンにより送信される情報信号が、前記通知情報を示す情報列の各情報を特定するための周期成分の前に、該周期成分よりも長い周期のヘッダ成分を有する信号となるようにしておき、その上で請求項２に記載のように構成するとよい。
【００２３】
請求項２に記載のカラオケ用リモートコマンダにおいて、前記第１チェック手段は、前記信号受信手段により情報信号の受信が開始された以降、最初に前記第１期間監視手段により監視される期間のみ、前記ヘッダ成分における第１信号レベルの期間として想定される期間に到達しているか否かをチェックして、前記第２チェック手段は、前記信号受信手段により情報信号の受信が開始された以降、最初に前記第２期間監視手段により監視される期間のみ、前記ヘッダ成分における第２信号レベルの期間として想定される期間に到達しているか否かをチェックする、ように構成されている。なお、この場合、情報特定手段は、情報信号の受信が開始された以降、最初に第２チェック手段により到達していると判定されたことをもって、情報信号のヘッダ成分が正常に受信されたこととして特定することとなる。
【００２４】
このように構成すれば、情報信号の受信が開始された以降、最初の第１，第２期間監視手段による監視についてのみ、情報信号の有するヘッダ成分における信号レベルとして想定される期間に基づいて第１，第２チェック手段によるチェックが行われ、その結果に応じて第１，第２監視継続手段により監視が継続されることとなる。このとき、情報信号の有するヘッダ成分は、通知情報を示す情報列の各情報に対応する成分よりも周期が長いため、このヘッダ成分が受信されている間に、上述したＡＧＣ機能により基準となる信号レベルを適切なレベルに安定させることができる。これにより、情報信号におけるヘッダ成分以降の成分について、第１，第２信号レベルの判定が適切に行えるようになり、結果、情報信号の周期成分で示される情報を適切に特定することができるようになる。
【００２５】
なお、この構成における情報信号のヘッダ成分については、上述した基準となる信号レベルが適切なレベルで安定するまでの時間を確保できる程度の周期を有する成分とすればよい。
【００２６】
また、上述した第１チェック手段は、第１期間監視手段による監視期間が情報信号における第１信号レベルの期間として想定される期間に到達しているか否かをチェックする手段であり、情報信号における実際の第１信号レベルになっている期間と一致するか否かをチェックすることとしてもよいが、この場合、その期間がノイズ成分の影響を受けて僅かに変化しただけでも、第１信号レベルの期間として想定される期間に到達していないと判定してしまうため、例えば、ノイズ成分の影響を受けて変動した場合の変動領域内で判断基準に幅を持たせることが望ましい。
【００２７】
このためには、例えば、請求項３に記載のように、前記第１チェック手段は、前記第１期間監視手段により監視される期間が、前記情報信号における第１信号レベルの期間を含む領域であって、該期間がノイズとして想定されるノイズ成分の影響を受けて変動した場合の変動領域内に収まっていれば、前記情報信号における第１信号レベルの期間として想定される期間に到達していると判定する、ように構成すればよい。
【００２８】
このように構成すれば、第１信号レベルとなっている期間が変動した場合であっても、その変動幅がノイズ成分の影響を受けて変動した場合の変動領域内に収まっていれば、第１チェック手段は、第１期間監視手段による監視期間を、第１信号レベルの期間として想定される期間に到達していると判定することができる。
【００２９】
また、上述した第２チェック手段は、第２期間監視手段による監視期間が情報信号における第２信号レベルの期間として想定される期間に到達している否かをチェックする手段であり、情報信号における実際の第２信号レベルになっている期間と一致するか否かをチェックすることとしてもよいが、この場合、その期間がノイズ成分の影響を受けて僅かに変化しただけでも、第２信号レベルの期間として想定される期間に到達していないと判定してしまうため、例えば、ノイズ成分の影響を受けて変動した場合の変動領域内で判断基準に幅を持たせることが望ましい。
【００３０】
このためには、例えば、請求項４に記載のように、前記第２チェック手段は、前記第２期間監視手段により監視される期間が、前記情報信号における第２信号レベルの期間を含む領域であって、該期間がノイズとして想定されるノイズ成分の影響を受けて変動した場合の変動領域内に収まっていれば、前記情報信号における第２信号レベルの期間として想定される期間に到達していると判定する、ように構成すればよい。
【００３１】
このように構成すれば、第２信号レベルとなっている期間が変動した場合であっても、その変動幅がノイズ成分の影響を受けて変動した場合の変動領域内に収まっていれば、第２チェック手段は、第２期間監視手段による監視期間を、第２信号レベルの期間として想定される期間に到達していると判定することができる。
【００３２】
また、請求項５に記載のプログラムは、請求項１から４のいずれかに記載のカラオケ用リモートコマンダの備える全ての手段として機能させるための各種処理手順を、コンピュータシステムに実行させるためのプログラムである。
【００３３】
このようなプログラムにより制御されるコンピュータシステムは、請求項１から４のいずれかに記載のカラオケ用リモートコマンダの一部を構成することができる。
なお、上述したプログラムは、コンピュータによる処理に適した命令の順番付けられた列からなるものであって、例えば、ＦＤ，ＣＤ−ＲＯＭ，メモリーカードなどの記録媒体やインターネットなどの通信回線網を介して、カラオケ用リモートコマンダ，または，これを利用するユーザに提供されるものである。また、これらプログラムをユーザに提供する形態としては、カラオケ用リモートコマンダにプレインストールされた状態であってもよい。
【００３４】
また、請求項６に記載のカラオケシステムは、請求項１から４のいずれかに記載のリモコンおよびカラオケ用リモートコマンダからなるシステムである。
このようなシステムによれば、請求項１から４のいずれかに記載のカラオケ用リモートコマンダと同様の作用，効果を得ることができる。
【発明を実施するための最良の形態】
【００３５】
以下に本発明の実施形態を図面と共に説明する。
（１）全体構成
カラオケシステムは、図１に示すように、カラオケ装置１が、リモコン端末２からの指令を受けて動作するように構成されたものである。
【００３６】
カラオケ装置１は、カラオケ装置１全体の動作を制御する制御部１２，演奏楽曲の伴奏内容および歌詞を示す楽曲データや映像データなどを記憶するハードディスク（ＨＤＤ）１６，複数のキー・スイッチからなる操作部１８，外部からの赤外線信号を赤外線通信規格（ＩｒＤＡ；InfraRed Data Association）に従って受信するための赤外線通信部２０，操作部１８および赤外線通信部２０からの信号を処理する操作処理部２２，ハードディスク１６に記憶された楽曲データから演奏楽曲のオーディオ信号（音響，音声に関する信号）を生成するシンセサイザ２４，シンセサイザ２４により生成されたオーディオ信号およびマイクロフォン２６から入力されたオーディオ信号を増幅してスピーカ２８へ出力するミキシングアンプ３０，映像情報を一時的に記憶するビデオＲＡＭ３２，映像データに基づく映像の再生を制御する映像再生部３４，ビデオＲＡＭ３２に記憶された映像情報および映像再生部３４により再生される映像の表示部３６での表示を制御する映像制御部３８などを備えている。
【００３７】
これらのうち、赤外線通信部５４は、後述の通り、外部からの赤外線信号の受信状況を常時モニタするように構成されているが（図４のｓ２０２参照）、外部から受信した信号による情報の特定を適切ならしめるために、その信号の信号レベルに応じて信号レベルがＬＯＷレベルとなったかＨＩＧＨレベルとなったかを判定する際の基準となる信号レベルを変化させる、といった機能を実現するＡＧＣ（Automatic Gain Control）回路が内蔵されている。
【００３８】
リモコン端末２は、リモコン端末２全体の動作を制御する制御部５２，カラオケ装置１に対して通知するための通知情報を示す情報信号を赤外線通信規格（ＩｒＤＡ）に従って送信する赤外線通信部５４，各種情報を記憶するメモリ５６，表示部５８の表示領域に沿って設置されるタッチパネルおよび複数のキー・スイッチからなる操作部６０，操作部６０からの信号を処理する操作処理部６２，などを備えている。
【００３９】
これらのうち、赤外線通信部５４は、図２に示すように、リモコン装置１側に通知すべき通知情報となる成分（以降、「通知成分」という）と、この通知成分の前にヘッダ成分として付加されたリーダパルスと、からなる情報信号を送信するように構成されている。なお、本実施形態においては、この情報信号を含めた各種信号の信号レベルを負論理で表現するものとする。
【００４０】
この情報信号を構成する通知成分は、信号レベルがＬＯＷレベルとなる期間（Ｌ期間）と、ＨＩＧＨレベルとなる期間（Ｈ期間）と、からなる周期成分が、規定の数だけ連結されてなり、各周期成分で示す情報（「０」または「１」）に応じてＨ期間の長さを異ならせた成分である。ここで、周期成分を示す情報が「０」である場合の周期は１．０８ｍｓであり、そのうち０．５３ｍｓがＬ期間となっている（図３（ａ）参照）。また、周期成分を示す情報が「１」である場合の周期は２．１５ｍｓであり、「０」である場合と同様に、そのうち０．５３ｍｓがＬ期間となっている（図３（ｂ）参照）。このように、「１」である場合の周期成分におけるＨ期間の長さは、「０」である場合の周期成分のＨ期間よりも長くなっている。
【００４１】
また、リーダパルスは、信号レベルがＬＯＷレベルとなる期間（Ｌ期間）と、ＨＩＧＨレベルとなる期間（Ｈ期間）と、が連結されてなる成分である。ここで、リーダパルスの周期は１２．８ｍｓであり、そのうち８．５３ｍｓがＬ期間となっている（図３（ｃ）参照）。このように、リーダパルスの周期は、通知成分が「０」の場合で１．０８ｍｓ，「１」の場合で２．１５ｍｓであるのに対し、これらよりも充分な長さが確保されている。
（２）カラオケ装置による情報特定処理
ここで、カラオケ装置１が起動された以降、制御部１２により繰り返し実行される情報特定処理の処理手順を図４，図５に基づいて説明する。
【００４２】
この情報特定処理が起動されると、まず、外部からの赤外線信号が赤外線通信部５４により受信（トリガとなるＬＯＷレベルの信号が入力；図２の（１）参照）されるまで待機する（ｓ２０２：ＮＯ）。
【００４３】
このｓ２０２で赤外線信号が受信されたら（ｓ２０２：ＹＥＳ）、タイマをスタート（既にスタートされた後であればリスタート）させる（ｓ２０４）。
次に、ｓ２０２で受信が開始された赤外線信号の信号レベルが反転した（ＨＩＧＨレベルとなった）か否かをチェックする（ｓ２０６）。
【００４４】
このｓ２０６で信号レベルが反転していないと判定されたら（ｓ２０６：ＮＯ）、ｓ２０４でスタートさせたタイマのカウント値が、リモコン端末２からの情報信号におけるリーダパルスのＬ期間として想定される期間を超えているか否かをチェックする（ｓ２０８）。ここでは、タイマのカウント値が、リーダパルスのＬ期間を含む期間であって、この期間がノイズとして想定されるノイズ成分の影響を受けて変動した場合の変動領域内を超えていなければ、上記Ｌ期間として想定される期間を超えていないと判定する。
【００４５】
本出願人は、カラオケルームにおいてカラオケ用の映像などを表示させる表示装置１００として普及しているＰＤＰ（Plasma Display Panel）が、図６に示すように、それぞれ０．３２ｍｓのＬＯＷレベルからなる複数のパルスが０．７８ｍｓ間隔で連結されてなる成分（赤外線）を、一定期間毎にノイズ成分として放射することを確認している。そのため、本実施形態においては、上述したような表示装置１００が発するノイズ成分の影響を考慮した変動領域を設定している。
【００４６】
具体的にいうと、リーダパルスのＨ期間にノイズ成分が重畳した場合に、リーダパルスのＬ期間が最も長くなるケース，つまりノイズ成分を構成するパルスがＬ期間の開始直前，および，Ｌ期間の終了直後に重畳したケースを想定し（図３（ｃ）参照）、リーダパルスのＬ期間として定められた期間（８．５３ｍｓ）にノイズ成分を構成するパルス２つ分の期間（０．６４ｍｓ）を加算した値（９．１７ｍｓ）を変動領域の最大値として設定し、ｓ２０４でスタートさせたタイマのカウント値が、変動領域（８．５３ｍｓ〜９．１７ｍｓ）の最大値（９１．７ｍｓ）を超えていなければ、上記Ｌ期間として想定される期間を超えていないと判定する。
【００４７】
このｓ２０８で、上記Ｌ期間として想定される期間を超えていないと判定された場合は（ｓ２０８：ＮＯ）、ｓ２０６へ戻る一方、上記Ｌ期間として想定される期間を超えていると判定された場合には（ｓ２０８：ＹＥＳ）、ｓ２０２にて受信が開始された信号が情報信号ではないとしてエラー処理を行った後（ｓ２１０）、ｓ２０２へ戻る。このｓ２１０では、本情報特定処理の実行に係る情報を記憶しておくための制御部１２の記憶領域を開放するなどの処理を行う。
【００４８】
また、ｓ２０６で信号レベルが反転したと判定されたら（ｓ２０６：ＹＥＳ）、この反転が正常なリーダパルスによるものであるか否かをチェックする（ｓ２１４）。ここでは、ｓ２０４でスタートさせたタイマのカウント値が、リモコン端末２からの情報信号におけるリーダパルスのＬ期間として想定される期間内であるか（上述したＬ期間の変動領域に収まっているか）否かをｓ２０８と同様にチェックし、この期間内であれば、信号レベルの反転がノイズ成分によるものでななく、正常なリーダパルスによるもの（図２の（２）参照）であると判定する。
【００４９】
このｓ２１４で、反転がノイズ成分によるものであると判定された場合（ｓ２１４：ＮＯ）、ｓ２０８と同様、タイマのカウント値がＬ期間として想定される期間を超えているか否かをチェックし（ｓ２１６）、超えていなければ（ｓ２１６：ＮＯ）、ｓ２０６へ戻る一方、超えていれば（ｓ２１６：ＹＥＳ）、ｓ２１０へ移行してエラー処理を行った後、ｓ２０２へ戻る。
【００５０】
また、ｓ２１４で、反転が正常なリーダパルスによるものであると判定された場合（ｓ２１４：ＹＥＳ）、リーダパルスのＬ期間（図２の（１）〜（２）の期間）が確定される（ｓ２２０）。
【００５１】
次に、ｓ２０２で受信が開始された赤外線信号の信号レベルが再度反転したか，つまり通知成分の受信（トリガとなるＬＯＷレベルの信号が入力；図２の（３）参照）が開始されたか否かをチェックする（ｓ２２４）。
【００５２】
このｓ２２４で信号レベルが反転していないと判定されたら（ｓ２２４：ＮＯ）、ｓ２０４でスタートさせたタイマのカウント値が、リーダパルスの周期（Ｌ期間＋Ｈ期間）として想定される期間を超えているか否かをチェックする（ｓ２２６）。ここでは、タイマのカウント値が、リーダパルスの周期を含む期間であって、この期間がノイズとして想定されるノイズ成分の影響を受けて変動した場合の変動領域内に収まっていれば、上記周期として想定される期間を超えていないと判定する。
【００５３】
具体的には、リーダパルスにノイズ成分が重畳した場合に、この周期が最も短くなるケース，つまりノイズ成分を構成するパルスがＨ期間の終了直前に重畳したケースと、上記周期が最も長くなるケース，つまりノイズ成分を構成するパルスがＬ期間の直前に重畳したケースと、を想定し（図３（ｃ）参照）、リーダパルスの周期として定められた値（１２．８ｍｓ）にノイズ成分を構成するパルス１つ分の期間（０．３２ｍｓ）を加算した値（１３．１２ｍｓ）を変動領域の最大値として設定し、リーダパルスの周期にノイズ成分を構成するパルス１つ分の期間を減算した値（１２．４８ｍｓ）を変動領域の最小値として設定し、ｓ２０４でスタートさせたタイマのカウント値が変動領域（１２．４８ｍｓ〜１３．１２ｍｓ）の最大値（１３．１２ｍｓ）を超えていなければ、上記周期として想定される期間を超えていないと判定する。
【００５４】
このｓ２２６で、上記周期として想定される期間を超えていないと判定された場合は（ｓ２２６：ＮＯ）、ｓ２２４へ戻る一方、上記周期として想定される期間を超えていると判定された場合には（ｓ２２６：ＹＥＳ）、ｓ２１０へ移行してエラー処理を行った後、ｓ２０２へ戻る。
【００５５】
また、ｓ２２４で、信号レベルが反転したと判定されたら（ｓ２２４：ＹＥＳ）、この反転が正常な通知成分によるものであるか否かをチェックする（ｓ２３２）。ここでは、ｓ２０４でスタートさせたタイマのカウント値が、リモコン端末２からの情報信号におけるリーダパルスの周期として想定される期間内であるか（上述した周期の変動領域に収まっているか）否かをｓ２２６と同様にチェックし、この期間内であれば、信号レベルの反転がノイズ成分によるものでななく、正常な通知成分によるもの（図２の（３）参照）であると判定する。
【００５６】
このｓ２３２で、反転がノイズ成分によるものであると判定された場合（ｓ２３２：ＮＯ）、ｓ２２６と同様、タイマのカウント値がリーダパルスの周期として想定される期間を超えているか否かをチェックし（ｓ２３４）、超えていなければ（ｓ２３４：ＮＯ）、ｓ２２４へ戻る一方、超えていれば（ｓ２３４：ＹＥＳ）、ｓ２１０へ移行してエラー処理を行った後、ｓ２０２へ戻る。
【００５７】
また、ｓ２３２で、反転が正常な通知成分によるものであると判定された場合（ｓ２３２：ＹＥＳ）、ここまでのタイマのカウント値が、リーダパルスの周期（図２の（１）〜（３）の期間）として確定される（ｓ２３６）。
【００５８】
次に、タイマをリスタートさせる（ｓ３０４）。
次に、ｓ２０２で受信が開始された赤外線信号の信号レベルが反転した（ＨＩＧＨレベルとなった）か否かをチェックする（ｓ３０６）。
【００５９】
このｓ３０６で信号レベルが反転していないと判定されたら（ｓ３０６：ＮＯ）、ｓ３０４でスタートさせたタイマのカウント値が、情報信号における通知成分のＬ期間として想定される期間を超えているか否かをチェックする（ｓ３０８）。ここでは、タイマのカウント値が、通知成分のＬ期間を含む領域であって、この期間がノイズとして想定されるノイズ成分の影響を受けて変動した場合の変動領域内に収まっていれば、上記Ｌ期間として想定される期間を超えていないと判定する。
【００６０】
具体的にいうと、通知成分（またはリーダパルス）のＨ期間にノイズ成分が重畳した場合に、このＬ期間が最も長くなるケース，つまりノイズ成分を構成するパルスがＬ期間の開始直前，および，Ｌ期間の終了直後に重畳したケースを想定し（図３（ａ），図３（ｂ）参照）、通知成分のＬ期間として定められた期間（０．５３ｍｓ）にノイズ成分を構成するパルス２つ分の期間（０．６４ｍｓ）を加算した値（１．１７ｍｓ）を変動領域の最大値として設定し、ｓ３０４でスタートさせたタイマのカウント値が、変動領域（０．５３ｍｓ〜１．１７ｍｓ）の最大値を超えていなければ、上記Ｌ期間として想定される期間を超えていないと判定する。
【００６１】
このｓ３０８で、上記Ｌ期間として想定される期間を超えていないと判定された場合は（ｓ３０８：ＮＯ）、ｓ３０６へ戻る一方、上記Ｌ期間として想定される期間を超えていると判定された場合には（ｓ３０８：ＹＥＳ）、ｓ２１０へ移行してエラー処理を行った後、ｓ２０２へ戻る。
【００６２】
また、ｓ３０６で信号レベルが反転したと判定されたら（ｓ３０６：ＹＥＳ）、この反転が正常な通知成分によるものであるか否かをチェックする（ｓ３１４）。ここでは、ｓ３０４でスタートさせたタイマのカウント値が、通知成分のＬ期間として想定される期間内であるか（上述したＬ期間の変動領域に収まっているか）否かをｓ３０８と同様にチェックし、この期間内であれば、信号レベルの反転がノイズ成分によるものでななく、正常な通知成分によるもの（図２の（４）参照）であると判定する。
【００６３】
このｓ３１４で、反転がノイズ成分によるものであると判定された場合（ｓ３１４：ＮＯ）、ｓ３０８と同様、タイマのカウント値がＬ期間として想定される期間を超えているか否かをチェックし（ｓ３１６）、超えていなければ（ｓ３１６：ＮＯ）、ｓ３０６へ戻る一方、超えていれば（ｓ３１６：ＹＥＳ）、ｓ２１０へ移行してエラー処理を行った後、ｓ２０２へ戻る。
【００６４】
また、ｓ３１４で、反転が正常な通知成分によるものであると判定された場合（ｓ３１４：ＹＥＳ）、通知成分のＬ期間（図２の（３）〜（４）の期間）が確定される（ｓ３２０）。
【００６５】
次に、ｓ２０２で受信が開始された赤外線信号の信号レベルが再度反転したか，つまり通知成分の受信（トリガとなるＬＯＷレベルの信号が入力；図２の（５）参照）が開始されたか否かをチェックする（ｓ４０２）。
【００６６】
このｓ４０２で信号レベルが反転していないと判定されたら（ｓ４０２：ＮＯ）、ｓ３０４でスタートさせたタイマのカウント値が、通知成分の周期（Ｌ期間＋Ｈ期間）として想定される期間を超えているか否かをチェックする（ｓ４０４）。ここでは、タイマのカウント値が、通知成分の周期を含む期間であって、この期間がノイズとして想定されるノイズ成分の影響を受けて変動した場合の変動領域を超えていなければ、上記周期として想定される期間を超えていないと判定する。
【００６７】
具体的には、通知成分にノイズ成分が重畳した場合に、この周期が最も短くなるケース，つまりノイズ成分を構成するパルスがＨ期間の終了直前に重畳したケースと、上記周期が最も長くなるケース，つまりノイズ成分を構成するパルスがＬ期間の直前に重畳したケースと、を想定し（図３（ａ），図３（ｂ）参照）、通知成分の周期として定められた値（「０」の場合：１．０８ｍｓ，「１」の場合：２．１５ｍｓ）にノイズ成分を構成するパルス１つ分の期間（０．３２ｍｓ）を加算した値（「０」の場合：１．４ｍｓ，「１」の場合：２．４７ｍｓ）を変動領域の最大値として設定し、通知成分の周期にノイズ成分を構成するパルス１つ分の期間を減算した値（「０」の場合：０．７８ｍｓ，「１」の場合：１．８３ｍｓ）を変動領域の最小値として設定し、ｓ３０４でスタートさせたタイマのカウント値が変動領域内（「０」の場合：０．７８ｍｓ〜１．４ｍｓ，「１」の場合：１．８３ｍｓ〜２．４７ｍｓ）の最大値を超えていなければ、上記周期として想定される期間を超えていないと判定する。なお、このｓ４０４では、「０」の場合の変動領域（０．７８ｍｓ〜１．４ｍｓ）または「１」の場合の変動領域（１．８３ｍｓ〜２．４７ｍｓ）のうち、いずれかの変動領域における最大値を超えていなければ、上記周期として想定される期間を超えていないと判定する。
【００６８】
このｓ４０４で、上記周期として想定される期間を超えていないと判定された場合は（ｓ４０４：ＮＯ）、ｓ４０２へ戻る一方、上記周期として想定される期間を超えていると判定された場合には（ｓ４０４：ＹＥＳ）、ｓ２１０へ移行してエラー処理を行った後、ｓ２０２へ戻る。
【００６９】
また、ｓ４０２で、信号レベルが反転したと判定された場合（ｓ４０２：ＹＥＳ）、ｓ３２０にて確定されたＬ期間と、ここまでのタイマのカウント値で確定されるＨ期間（図２の（４）〜（５）の期間）との合計値を、通知成分の周期成分として算出する（ｓ４０８）。
【００７０】
次に、ｓ４０８にて算出された周期成分が、通知情報を構成する情報の１種である「０」を示すものであるか否かをチェックする（ｓ４１０）。ここでは、ｓ４０８にて算出された周期成分が、通知情報を構成する情報の１種である「０」における変動領域内（０．７８ｍｓ〜１．４ｍｓ）に収まっていれば、「０」を示すものであると判定する。
【００７１】
このｓ４１０で、「０」を示すものであると判定したら（ｓ４１０：ＹＥＳ）、その周期成分で示される情報を「０」として特定した後（ｓ４１２）、次の処理（ｓ４２４）へ移行する。このｓ４１２では、ｓ４０８にて算出された周期成分が「０」を示す情報として特定し、その情報を制御部１２内蔵のメモリにおける所定の記憶領域に記憶する。
【００７２】
一方、ｓ４１０で、「０」を示すものでないと判定したら（ｓ４１０：ＮＯ）、この周期成分が、通知情報を構成する情報の１種である「０」を示す成分の変動領域（０．７８ｍｓ〜１．４ｍｓ）における最小値を超えるものとなっているか否かをチェックする（ｓ４１４）。
【００７３】
このｓ４１４で、「０」を示す成分の変動領域における最小値を超えるものとなっていなければ（ｓ４１４：ＮＯ）、ｓ４０２へ戻る一方、「０」を示す成分の変動領域おける最小値を超えるものとなっていれば（ｓ４１４：ＹＥＳ）、その周期成分が、「１」を示すものであるか否かをチェックする（ｓ４１６）。ここでは、ｓ４０８にて算出された周期成分が、通知情報を構成する情報の１種である「１」における変動領域（１．８３ｍｓ〜２．４７ｍｓ）に収まっていれば、「１」を示すものであると判定する。
【００７４】
このｓ４１６で、「１」を示すものでないと判定したら（ｓ４１６：ＮＯ）、この周期成分が、通知情報を構成する情報の１種である「１」を示す成分の変動領域（１．８３ｍｓ〜２．４７ｍｓ）における最大値を超えるものとなっているか否かをチェックする（ｓ４１８）。
【００７５】
このｓ４１８で、「１」を示す成分の変動領域における最大値を超えるものとなっていなければ（ｓ４１８：ＮＯ）、ｓ４０２へ戻る一方、「１」を示す成分の変動領域における最大値を超えるものとなっていなければ（ｓ４１８：ＹＥＳ）、ｓ２１０へ移行してエラー処理を行った後、ｓ２０２へ戻る。
【００７６】
また、ｓ４１６で、「１」を示すものであると判定したら（ｓ４１６：ＹＥＳ）、その周期成分で示される情報を「１」として特定した後（ｓ４２０）、次の処理（ｓ４２４）へ移行する。このｓ４２０では、ｓ４０８にて算出された周期成分が「１」を示す情報として特定し、その情報を制御部１２内蔵のメモリにおける所定の記憶領域に記憶する。
【００７７】
そして、ｓ４１２およびｓ４２０にて周期成分で示される情報を特定した後、これら処理で所定の記憶領域に記憶した情報が、規定の個数に到達したか否かをチェックし（ｓ４２４）、規定の個数に到達していなければ（ｓ４２４：ＮＯ）、ｓ３０４へ戻る一方、規定の個数に到達していれば（ｓ４２４：ＹＥＳ）、ｓ２０２へ戻る。このｓ４２４では、ｓ４１２およびｓ４２０にて所定の記憶領域に記憶した情報が、通知情報となる成分を構成する周期成分の数として定められた値に到達していれば、規定の個数に到達している，つまり情報信号の受信が終了されたと判定することになる。
【００７８】
この後、ｓ２０２〜ｓ４２４が繰り返され、情報が規定の個数だけ記録されたら、これら情報からなる情報列で示される通知情報に基づき、各種処理が実行されることとなる。
（３）作用，効果
上述したようなカラオケシステムを構成するカラオケ装置１は、外部からの赤外線信号の受信が開始された以降、この信号の信号レベルがＬＯＷレベルからＨＩＧＨレベルに変化するまでの期間（Ｌ期間）を監視し（図４のｓ２０６，図５のｓ３０６）、その監視期間が情報信号におけるＬＯＷレベルの期間として想定される期間に到達しているか否かをチェックすることにより（図４のｓ２１４，図５のｓ３１４）、そのような信号レベルの反転が正常な情報信号によるものであるか否かをチェックしている。
【００７９】
ここで、監視期間がＬＯＷレベルの期間として想定される期間に到達してない，つまり信号レベルの反転が正常な情報信号によるものではないと判定された場合には、そのような信号レベルの反転を無視して監視が継続される（図４のｓ２１４→ｓ２１６→ｓ２０６、図５のｓ３１４→ｓ３１６→ｓ３０６）。
【００８０】
また、このチェックで、監視期間がＬＯＷレベルの期間として想定される期間に到達していると判定された場合には、それ以降、この信号の信号レベルがＨＩＧＨレベルからＬＯＷレベルに変化するまでの期間を監視し（図４のｓ２２４，図５のｓ４０２）、その監視期間が情報信号におけるＨＩＧＨレベルの期間（Ｈ期間）として想定される期間に到達しているか否かをチェックすることにより（図４のｓ２３２，図５のｓ４１４，ｓ４１８）、そのような信号レベルの再度の反転が正常な情報信号によるものであるか否かをチェックしている。
【００８１】
ここで、監視期間がＨＩＧＨレベルの期間として想定される期間に到達していない，つまり信号レベルの反転が正常な情報信号によるものではないと判定された場合には、そのような信号レベルの反転を無視して監視が継続される（図４のｓ２３２→ｓ２３４→ｓ２２４、図５のｓ４１４，ｓ４１８→ｓ４０２）。
【００８２】
また、このチェックで、監視期間がＨＩＧＨレベルの期間として想定される期間に到達している判定された場合には、ＬＯＷレベルの監視期間とＨＩＧＨレベルの監視期間とからなる周期成分に基づいて、この周期成分がリーダパルスであるか否かの特定（図４のｓ２３６），または，この周期成分で示される情報（「０」または「１」）の特定（図５のｓ４１０〜ｓ４２０）を行う。
【００８３】
そして、監視期間がＨＩＧＨレベルの期間として想定される期間に到達していると判定された以降、規定数の情報を特定して記憶し終わる，つまり情報信号の受信が完了するまで、期間の監視および情報の特定・記憶を繰り返すことにより、こうして特定された情報それぞれからなる情報列で示される通知情報を取得することができる。
【００８４】
このようなカラオケ装置１では、情報信号のＬ期間およびＨ期間からなる周期成分に基づいて、この周期成分で示される情報を特定する構成となっている。この構成では、リモコン端末２から送信された赤外線信号が、ノイズ成分からなるノイズ信号の重畳により、本来変化すべき時期より前に信号レベルの変化する期間を有してしまうと、上述した監視期間を短く判定してしまい、各周期成分で示される情報を誤った情報として特定してしまう虞がある。
【００８５】
ところが、上述したＬ期間およびＨ期間の監視は、情報信号の信号レベルが本来変化すべき時期より前に変化すると、その監視時期が、本来の信号レベルの期間として想定される期間に到達してないと判定され（図４のｓ２１６：ＮＯ，ｓ２３４：ＮＯ，図５のｓ３１６：ＮＯ，ｓ４１４：ＮＯ，ｓ４１８：ＮＯ）、これを受けて監視そのものが継続されることとなる。
【００８６】
そのため、ノイズ信号が重畳し、本来変化すべき時期より前に信号レベルの変化する期間を有するものとなった情報信号をリモコン端末２から受信した場合でも、そのようなノイズ信号の影響を低減して適切に周期成分で示される情報を特定することができる。
【００８７】
そして、このようなノイズ信号の影響を低減させることは、上述した情報特定処理によるソフトウェア的な処理により実現できるため、同様のことをフィルタなどの別部材を設けて実現する場合と異なり、その別部材によりカラオケ装置１としての構成が大型化してしまったり、製造コストが増加してしまうといったこともない。
また、カラオケ装置１における赤外線通信部５４には、ＡＧＣ回路が内蔵されているため、例えば、ノイズ信号の信号レベルが、リモコン端末２により送信された情報信号の信号レベルに比べて大きくなると、上述した基準となる信号レベルが不必要に大きくなってしまうことがあり、これにより、情報信号によるＬＯＷレベル，ＨＩＧＨレベルの判定も適切に行えなくなり、結果、情報信号の周期成分で示される情報を誤って特定してしまう虞がある。このような問題は、ノイズ信号の発生源（表示装置１００）からカラオケ装置１までの距離が、リモコン端末２からカラオケ装置１までの距離の方が近い場合や、リモコン端末２の電池が消耗して電圧が低下した場合などに特に顕著となる。
【００８８】
ただ、本カラオケシステムにおいて、リモコン端末２から送信される情報信号は、通知成分の前に、これらの各周期成分よりも周期の長いリーダパルスを有しており、カラオケ装置１は、情報信号の受信が開始された以降、最初のＬ期間およびＨ期間の監視として、リーダパルスにおけるＬ期間およびＨ期間の監視を行うように構成されている（図４のｓ２０２〜ｓ２３２）。
【００８９】
そのため、通知成分それぞれの周期成分よりも周期の長いリーダパルスが受信されている間に、上述したＡＧＣ回路により基準となる信号レベルを適切なレベルに安定させることができる。これにより、情報信号におけるリーダパルス以降の成分について、ＬＯＷレベル，ＨＩＧＨレベルの判定が適切に行えるようになり、結果、情報信号の周期成分で示される情報を適切に特定することができるようになる。
【００９０】
また、カラオケ装置１は、情報信号の信号レベルが反転した際に、この反転が正常な情報信号によるものであるか否かを、情報信号の受信が開始された以降のＬ期間またはＨ期間を示すタイマのカウント値が、情報信号のＬ期間またはＨ期間として想定される期間内であるか否かをチェックすることにより判定している（図４のｓ２１４，ｓ２３２，図５のｓ３１４，ｓ４１４，ｓ４１８）。このとき、「Ｌ期間またはＨ期間として想定される期間内」であるか否かについては、単にＬ期間またはＨ期間として定められた期間ではなく、ノイズ成分の影響を考慮した変動領域内に収まっているか否かにより判定しているため、その期間がノイズ成分の影響を受けて僅かに変化した場合に、Ｌ期間またはＨ期間に到達していないと判定してしまうことを防止することができる。
（４）変形例
以上、本発明の実施の形態について説明したが、本発明は、上記実施形態に何ら限定されることはなく、本発明の技術的範囲に属する限り種々の形態をとり得ることはいうまでもない。
【００９１】
例えば、上記実施形態においては、カラオケ装置１とリモコン端末２とが赤外線による無線通信を行うように構成された場合を例示したが、この両者の無線通信については、赤外線通信以外の方式により実現する構成とすることができることはいうまでもない。
【００９２】
また、上記実施形態においては、カラオケ装置１が、情報信号の信号レベルが反転した際に、この反転が正常な情報信号によるものであるか否かを判定するために、タイマにより経過時間をカウントするように構成されたものを例示した。しかし、上述の判定のためには、タイマによるカウントではなく、情報信号の受信開始，信号レベルの反転といった事象が起きた際に、その時点のタイムスタンプを取得していくようにし、それらタイムスタンプで示される時刻の差により経過時間をチェックするように構成することで、上述の判定を行うように構成してもよい。
【００９３】
また、情報信号を構成するリーダパルスについては、その周期が、ＡＧＣ回路が上述した基準となる信号レベルを適切なレベルで安定させられるまでの時間を確保できる程度であればよく、上述した周期以外の長さとしてもよい。
（５）本発明との対応関係
以上説明した実施形態において、カラオケ装置１は、本発明におけるカラオケ用リモートコマンダである。
【００９４】
また、図４，図５の情報特定処理は、本発明における信号受信手段であり、図４のｓ２０６，図５のｓ３０６およびタイマは、本発明における第１期間監視手段であり、図４のｓ２１４，図５のｓ３１４は、本発明における第１チェック手段および第１監視継続手段であり、図４のｓ２２４，図５のｓ４０２およびタイマは、本発明における第２期間監視手段であり、図４のｓ２３２，図５のｓ４１４，ｓ４１８は、本発明における第２チェック手段および第２監視継続手段であり、図５のｓ４１０〜ｓ４２０は、本発明における情報特定手段である。
【図面の簡単な説明】
【００９５】
【図１】カラオケシステムの構成を示すブロック図
【図２】情報信号の波形を示す図
【図３】情報信号における各周期成分の波形を示す図
【図４】情報特定処理を示すフローチャート（１／２）
【図５】情報特定処理を示すフローチャート（２／２）
【図６】ノイズ成分の波形を示す図
【符号の説明】
【００９６】
１…カラオケ装置、２…リモコン端末、２…特許文献、１２…制御部、１６…ハードディスク、１８…操作部、２０…赤外線通信部、２２…操作処理部、２４…シンセサイザ、２６…マイクロフォン、２８…スピーカ、３０…ミキシングアンプ、３４…映像再生部、３６…表示部、３８…映像制御部、５２…制御部、５４…赤外線通信部、５６…メモリ、５８…表示部、６０…操作部、６２…操作処理部。
【図１】
2006276751.tif 000003
【図２】
2006276751.tif 000004
【図３】
2006276751.tif 000005
【図４】
2006276751.tif 000006
【図５】
2006276751.tif 000007
【図６】
2006276751.tif 000008